(57)【要約】【課題】複数のパネルを備える屋根構造において、複数のパネルの施工性を向上できる屋根構造及び屋根の施工方法を提供することを目的とする。【解決手段】フィールドと、フィールドの周囲に配置される観客席と、フィールドの上方を開放するように観客席の上方を覆う屋根と、を備えた屋根構造３であって、屋根の少なくとも一部は、パネル４０及びパネル４０を保持する保持枠４１を有するパネルユニット４と、隣接するパネルユニット４の間に配置され、拡幅可能な第一ジョイント部材５１と、を備える。【選択図】図１
2019007158.tif 000002
【特許請求の範囲】
【請求項１】
フィールドと、フィールドの周囲に配置される観客席と、前記フィールドの上方を開放するように前記観客席の上方を覆う屋根と、を備えた屋根構造であって、
前記屋根の少なくとも一部は、
パネル及び前記パネルを保持する保持枠を有するパネルユニットと、
隣接するパネルユニットの間に配置され、拡幅可能な第一ジョイント部材と、を備える屋根構造。
【請求項２】
前記パネルユニットは、矩形状である請求項１に記載の屋根構造。
【請求項３】
前記第一ジョイント部材は、前記パネルユニットの前記保持枠に嵌合され、
該第一ジョイント部材の下方には、樋部材が配置される請求項１又は２に記載の屋根構造。
【請求項４】
径方向に隣接する前記パネルユニットの間には、前記第一ジョイント部材よりも下方に配置される第二ジョイント部材を備える請求項１から３のいずれかに記載の屋根構造。
【請求項５】
前記第一ジョイント部材の少なくとも一部の下方に配置される受け部材を更に備える請求項１から４のいずれかに記載の屋根構造。
【請求項６】
パネルとパネルを囲う保持枠とを備えたパネルユニットを鉄骨に設置する工程と、
隣接するパネルユニット間の隙間を覆うように第一ジョイント部材を取り付ける工程と、を含む屋根の施工方法。
【請求項７】
鉄骨又はパネルユニットに樋部材を取り付ける工程を含む請求項６に記載の屋根の施工方法。
【発明の詳細な説明】
【技術分野】
【０００１】
本発明は、屋根構造及び屋根の施工方法に関する。
【背景技術】
【０００２】
従来、曲面状（平面視で円形状又は円環状）の屋根を備えるスタジアムなどの建築物において、複数のガラスが屋根に配置された天窓構造（屋根構造）が知られている（例えば、特許文献１参照）。特許文献１に記載の天窓構造においては、屋根を構成する構造体に設けられた複数の開口の周縁に、複数のガラス（パネル）を取り付けている。
複数のガラスを屋根に配置する天窓構造においては、複数のガラスを含む天窓構造を構成する各部材を、ノックダウン方式（ガラスや保持枠体を現場で組立てて完成品とする生産方式）で施工していた。
【０００３】
また、平面視で円形状又は円環状の屋根に複数のガラスを取り付ける天窓においては、平面視で円形状又は円環状の屋根は、内周よりも外周が長く形成される。そのため、屋根の円形状又は円環状の形状に合わせて、複数のガラスの形状を、それぞれ台形形状に構成することも行われる。
【先行技術文献】
【特許文献】
【０００４】
【特許文献１】特許第４９６３０１９号公報
【発明の概要】
【発明が解決しようとする課題】
【０００５】
ノックダウン方式で天窓構造を施工する場合には、複数のガラスの位置決めや複数のガラスの間の隙間を現場で調整する必要性が生じるため、施工が煩雑化していた。
また、平面視で円形状又は円環状の屋根に、複数の台形形状のガラスを取り付ける場合には、ガラスの向きを同じ向きに合わせて取り付ける必要があるため、施工が煩雑化し、かつ、施工に多くの作業時間を要していた。
そのため、屋根に複数のガラスを備える天窓構造（屋根構造）において、複数のガラス（パネル）を屋根に取り付ける際の施工性を向上できる天窓構造が望まれる。
【０００６】
本発明は、複数のパネルを備える屋根構造において、複数のパネルの施工性を向上できる屋根構造及び屋根の施工方法を提供することを目的とする。
【課題を解決するための手段】
【０００７】
本発明は、フィールドと、フィールドの周囲に配置される観客席と、前記フィールドの上方を開放するように前記観客席の上方を覆う屋根と、を備えた屋根構造であって、前記屋根の少なくとも一部は、パネル（例えば、後述のガラス４０）及び前記パネルを保持する保持枠（例えば、後述の保持枠４１）を有するパネルユニット（例えば、後述のガラスユニット４）と、隣接するパネルユニットの間に配置され、拡幅可能な第一ジョイント部材（例えば、後述の第１ジョイントゴム）と、を備える屋根構造（例えば、後述の天窓構造３）に関する。
【０００８】
また、前記パネルユニットは、矩形状であることが好ましい。
【０００９】
また、前記第一ジョイント部材は、前記パネルユニットの前記保持枠に嵌合され、該第一ジョイント部材の下方には、樋部材（例えば、後述の樋構成体７）が配置されることが好ましい。
【００１０】
また、径方向に隣接する前記パネルユニットの間には、前記第一ジョイント部材よりも下方に配置される第二ジョイント部材（例えば、後述の第３ジョイントゴム５３）を備えることが好ましい。
【００１１】
また、前記第一ジョイント部材の少なくとも一部の下方に配置される受け部材（例えば、後述の受け部材６）を更に備えることが好ましい。
【００１２】
また、本発明は、パネルとパネルを囲う保持枠とを備えたパネルユニットを鉄骨（例えば、後述の鉄骨部材１０）に設置する工程と、隣接するパネルユニット間の隙間を覆うように第一ジョイント部材を取り付ける工程とを含む屋根の施工方法に関する。
【００１３】
また、鉄骨又はパネルユニットに樋部材を取り付ける工程を含むことが好ましい。
【発明の効果】
【００１４】
本発明によれば、複数のパネルを備える屋根構造において、複数のパネルの施工性を向上できる屋根構造及び屋根の施工方法を提供することができる。
【図面の簡単な説明】
【００１５】
【図１】本実施形態に係る天窓構造を屋外側から見た拡大平面図である。
【図２】図１のＡ−Ａ線断面図であって、ガラスユニットの内周側において幅方向に沿った平面で切断した場合の断面図である。
【図３】図２の天窓構造の部分拡大図である。
【図４】図１のＢ−Ｂ線断面図であって、ガラスユニットの外周側において幅方向に沿った平面で切断した場合の断面図である。
【図５】図４の天窓構造の部分拡大図である。
【図６】図１のＣ−Ｃ線断面図であって、ガラスユニットの長手方向に沿った平面で切断した場合の断面図である。
【図７】図６の天窓構造の拡大図である。
【図８】本実施形態に係る天窓構造におけるガラスユニットの接続部分の止水構造を説明するための平面図である。
【発明を実施するための形態】
【００１６】
以下、本発明の一実施形態について、図面を参照して詳しく説明する。図１は、本実施形態に係る天窓構造３を屋外側から見た拡大平面図である。図２は、図１のＡ−Ａ線断面図であって、ガラスユニット４の内周側において幅方向Ｘに沿った平面で切断した場合の断面図である。図３は、図２の天窓構造３の部分拡大図である。図４は、図１のＢ−Ｂ線断面図であって、ガラスユニット４の外周側において幅方向Ｘに沿った平面で切断した場合の断面図である。図５は、図４の天窓構造３の部分拡大図である。図６は、図１のＣ−Ｃ線断面図であって、ガラスユニット４の長手方向Ｙに沿った平面で切断した場合の断面図である。図７は、図６の天窓構造３の拡大図である。なお、スタジアムの屋根において、屋根の周方向を周方向Ｃといい、屋根の径方向を径方向Ｒという。また、屋根の周方向Ｃに沿って配置されるガラスユニット４において短辺が延びる方向を幅方向Ｘといい、屋根の径方向Ｒに沿って配置されるガラスユニット４において長辺が延びる方向を長手方向Ｙという。また、上下の方向を上下方向という。
【００１７】
本実施形態の天窓構造３（屋根構造）は、競技場（フィールド）と競技場の周囲を取り囲む観客席を備えたスタジアムなどの建築物の観客席を覆う曲面状（ドーム状）の屋根に設けられる。本実施形態のスタジアムの屋根は、平面視で、楕円形の円環状に形成され、競技場の上方を開放するように中央部に楕円形状の開口を有して構成される。スタジアムの屋根は、径方向Ｒの内周側から外周側に向かうにしたがって僅かに下るように傾斜している。なお、本実施形態では、スタジアムの屋根の形状を平面視で楕円形状の円環状に形成したが、これに限定されない。円環状には、例えば、外形が真円形状の円環状や、外形が楕円形状の円環状や、外形がトラック状の円環状なども含まれる。
【００１８】
スタジアムの屋根は、スタジアムの内部の競技場や観客席などに太陽光を取り入れるトップライトを構成する天窓部分や、太陽光を遮蔽する遮蔽部分を含む。本実施形態においては、例えば、スタジアムの屋根の天窓部分における天窓構造３について説明する。なお、天窓構造３におけるガラス４０の一部又は全部について、例えば、太陽光発電ガラスを採用してもよい。
【００１９】
天窓構造３は、スタジアムの屋根の天窓部分にガラスユニット４を配置するための構造である。天窓構造３は、図１〜図７に示すように、例えば、ほぼ同じ外形の複数のガラスユニット４（パネルユニット）と、複数の第１ジョイントゴム５１（第１ジョイント部材）と、複数の第２ジョイントゴム５２と、複数の第３ジョイントゴム５３（第二ジョイント部材）と、隣接するガラスユニット４の間が広い場合に点検のために人が通った場合に足を踏み外さないように受ける複数の受け部材６と、樋（とい）部分を有する複数の樋構成体７（樋部材）と、複数のメンテナンス用フィン８と、を備える。
【００２０】
本実施形態の天窓構造３の基本構成においては、図２に示すように、屋根の骨組である鉄骨部材１０（鉄骨）の上部に樋構成体７が取り付けられ、樋構成体７の上部に複数のガラスユニット４が取り付けられる。そのため、本実施形態においては、屋根を施工する方法としては、ガラスユニット４を鉄骨部材１０に設置する工程と、鉄骨部材１０に樋構成体７を取り付ける工程と、を含む。
そして、図１に示すように、複数のガラスユニット４のうちの周方向Ｃに隣接するガラスユニット４の間に第１ジョイントゴム５１が取り付けられ、複数のガラスユニット４のうちの径方向Ｒに隣接するガラスユニット４の間に第２ジョイントゴム５２及び第３ジョイントゴム５３（図８参照）が取り付けられる。そのため、本実施形態においては、屋根を施工する方法としては、周方向Ｃに隣接するガラスユニット４間の隙間を覆うように第１ジョイントゴム５１を取り付ける工程と、径方向Ｒに隣接するガラスユニット４間の隙間に第２ジョイントゴム５２及び第３ジョイントゴム５３を取り付ける工程と、を含む。
【００２１】
樋構成体７は、図２に示すように、隣接するガラスユニット４の間に配置される第１ジョイントゴム５１（後述）の下方に配置される。樋本体部７２は、後述する第１ジョイントゴム５１などでは止水できなかった上方から浸入した雨水などの水を受け止めて、径方向Ｒに沿って径方向Ｒの内周側から外周側に水を流す。樋本体部７２は、下方側への水の浸入を阻止する止水ラインを構成する。
【００２２】
樋構成体７は、図２及び図６に示すように、第１支持部材７ａを介して、屋根の骨組である鉄骨部材１０の上部に取り付けられる。樋構成体７は、屋根の天窓部分において、スタジアムの屋根の径方向Ｒに延びて形成され、周方向Ｃに所定間隔毎に並んで配置される。樋構成体７は、図６に示すように、径方向Ｒにおいて、内周側から外周側に向かうにしたがって僅かに下る下り傾斜に形成される。
【００２３】
樋構成体７は、図２及び図４に示すように、下部支持体７１と、樋本体部７２と、を有する。下部支持体７１は、方形筒状に形成され、鉄骨部材１０の上部に配置される。樋本体部７２は、上方が開放する略Ｕ字形状に形成され、下部支持体７１の上部に接続される。樋本体部７２における略Ｕ字形状の内側の部分は、第１ジョイントゴム５１などでは止水できなかった上方から浸入した雨水などの水を受け止めて流す樋部分を構成する。
【００２４】
樋構成体７は、図３及び図５に示すように、ガラスユニット４を下方側から支持する。樋構成体７の樋本体部７２の略Ｕ字形状の部分の一方の上端部は、ウインドバリア７２１を介して、隣接するガラスユニット４のうちの一方のガラスユニット４の端部を支持し、樋構成体７の樋本体部７２の略Ｕ字形状の部分の他方の上端部は、ウインドバリア７２１を介して、隣接するガラスユニット４のうちの他方のガラスユニット４の外側の端部を支持する。つまり、樋構成体７の樋本体部７２は、隣接するガラスユニット４における近い側の端部を下方から支持する。これにより、ガラスユニット４は、隣接する樋構成体７に跨って配置される。
【００２５】
また、樋構成体７は、一対の第２支持部材７ｂ、７ｂにより、ガラスユニット４に固定されている。一対の第２支持部材７ｂ，７ｂは、Ｌ字状に形成される。一対の第２支持部材７ｂ，７ｂは、それぞれ、樋構成体７の側面とガラスユニット４の保持枠４１（後述）の下面とに跨って配置される。一対の第２支持部材７ｂ，７ｂは、Ｌ字状の部分における垂直部分が樋構成体７の側面にボルト止めされ、Ｌ字状の部分における水平部分がガラスユニット４の保持枠４１の下部にボルト止めされることで、樋構成体７にガラスユニット４の保持枠４１を固定する。これにより、ガラスユニット４の保持枠４１は、第２支持部材７ｂを介して、樋構成体７に支持される。
【００２６】
複数のガラスユニット４は、図１に示すように、スタジアムの屋根の天窓部分において、周方向Ｃ及び径方向Ｒに並べられて配置される。複数のガラスユニット４は、図２及び図６に示すように、例えば樋構成体７が鉄骨部材１０に取り付けられた（施工された）後に、現場で、樋構成体７の上部に取り付けられる。ガラスユニット４は、隣接する樋構成体７に跨って支持される。ガラスユニット４は、樋構成体７の上部に施工される前に、工場などで組み立てられる。本実施形態では、樋構成体７を鉄骨部材１０に取り付けたが、樋構成体７をガラスユニット４に取り付けるように構成してもよい。樋構成体７は長辺保持枠本体４３に取り付けられるが、隣接する長辺保持枠本体４３のいずれか一方に設けられる。この場合、ガラスユニット４と樋構成体７とを予め一体化して鉄骨部材１０に取り付けることができ、施工性が向上し工期を短縮できる。また、ガラスユニット４に樋構成体７を取り付けるようにしたので、ガラスユニット４を鉄骨部材１０に取り付けた後に、樋構成体７をガラスユニット４に取り付けてもよい。
【００２７】
ガラスユニット４は、図１に示すように、ガラス４０とガラス４０を保持する（囲う）保持枠４１とを有して、ユニット化されて構成される。ガラスユニット４は、ユニット化されることで、定形となる。本実施形態においては、ガラス４０及び保持枠４１によりユニット化されたガラスユニット４は、例えば外形が矩形状（長方形状）に定形化されて形成される。本実施形態では、定形化されたガラスユニット４を並べて楕円形の屋根を構成する。ガラスユニット４は、径方向Ｒの内周側から外周側に向かうにしたがって僅かに下るように傾斜して配置されている。
【００２８】
本実施形態においては、ガラスユニット４の大きさは、径方向Ｒの同じ列において同じであり、径方向Ｒの内周側に配置されるガラスユニット４及び外周側に配置されるガラスユニット４において異なっている。本実施形態においては、内周側に配置されるガラスユニット４の幅方向Ｘの長さは、外周側に配置されるガラスユニット４の幅方向Ｘの長さよりも、短く形成される。
【００２９】
保持枠４１は、図１に示すように、径方向Ｒ（長手方向Ｙ）に延びる一対の長辺保持枠４２，４２と、周方向Ｃの接線方向（幅方向Ｘ）に延びる一対の短辺保持枠４５，４５と、を有する。本実施形態においては、長辺保持枠４２の長さは、短辺保持枠４５の長さよりも長い。保持枠４１は、一対の長辺保持枠４２，４２及び一対の短辺保持枠４５，４５により、各角部が例えば直角となるように、矩形状（長方形状）に枠組みされて形成される。保持枠４１には、保持枠４１の内側において、ガラス４０が保持されている。長辺保持枠４２及び短辺保持枠４５は、例えば、アルミ材料で形成され、押出し成形により形成される。
【００３０】
なお、本実施形態においては、一対の長辺保持枠４２，４２を構成する一方側及び他方側の長辺保持枠４２，４２は、ガラス４０を挟んで対向して配置され、ほぼ対称の形状を有する。また、一対の短辺保持枠４５，４５を構成する一方側及び他方側の短辺保持枠４５，４５は、ガラス４０を挟んで対向して配置され、ほぼ対称の形状を有する。そのため、以下の説明では、一方側及び他方側の長辺保持枠４２，４２について、同様の構造に対応する部分には、同様の符号を付し、一方側及び他方側の短辺保持枠４５，４５について、同様の構造に対応する部分には、同様の符号を付す。
【００３１】
長辺保持枠４２は、図１に示すように、長手方向Ｙに延びる長尺状に形成される。長辺保持枠４２は、図２〜図５に示すように、長辺保持枠本体４３と、長辺ガラス保持部材４４と、を有する。長辺保持枠４２には、図３及び図５に示すように、長辺保持枠本体４３及び長辺ガラス保持部材４４が組み合わされた状態において、側方に開口するガラス溝４２ａが形成される。ガラス溝４２ａには、ガラス４０の幅方向Ｘの側端部が配置される。
【００３２】
長辺保持枠本体４３は、屋根の屋外側（上方側）に配置される上側延在部４３１と、屋根の屋内側（下方側）に配置される下側保持体４３２と、を有する。
【００３３】
上側延在部４３１は、下側保持体４３２の外側の上部から上方側に延びる。長辺保持枠本体４３は、上側延在部４３１の内側の側部及び下側保持体４３２の上部により、上方側及び内側の側方側が開放する形状を有する。長辺保持枠本体４３の上方側の開放する部分には、長辺ガラス保持部材４４が配置される。長辺保持枠本体４３の内側の側方側の開放する部分には、ガラス４０の幅方向Ｘの側端部が配置される。
【００３４】
上側延在部４３１は、上方側に形成される上側嵌合部４３１ａと、上側嵌合部４３１ａよりも下方の位置において外側に配置されると共に上下方向に延びる延出支持片４３１ｂと、下方側の外側に形成される下側係止片４３１ｄと、を備える。
【００３５】
上側嵌合部４３１ａは、長辺ガラス保持部材４４の嵌合突起４４１に嵌合する。
延出支持片４３１ｂの下端部には、水平方向の外側に突出する突出片４３１ｃが設けられている。周方向Ｃに隣接するガラスユニット４の突出片４３１ｃには、バックアップ材４２ｆが配置される。バックアップ材４２ｆの上部には、シール材４２ｇが塗工される。
下側係止片４３１ｄには、図５に示すように、ガラスユニット４の径方向Ｒの外周側において、受け部材６を取り付けるための取付部材６１の上方側の部分が取り付けられる。
【００３６】
下側保持体４３２は、上側延在部４３１の下方に接続される。下側保持体４３２は、中空部を備えるホロー構造を構成する。下側保持体４３２は、外側の側部に形成される係止片４３２ａと、下面に形成される溝部４３２ｂと、上部から上方に延出する嵌合部４３２ｃと、を備える。
【００３７】
係止片４３２ａには、図５に示すように、ガラスユニット４の径方向Ｒの外周側において、受け部材６を取り付けるための取付部材６１の下方側の部分が取り付けられる。
溝部４３２ｂは、第２支持部材７ｂを長辺保持枠４２に取り付けるためのボルト部材が螺合される溝である。
嵌合部４３２ｃには、ガラス４０の側端部の屋内側の部分を押圧するグレージングガスケット４２ｅが嵌合される。
【００３８】
長辺ガラス保持部材（押縁）４４は、長辺保持枠本体４３の上部に取り付けられる。長辺ガラス保持部材４４は、長辺保持枠本体４３の上方側の開放する部分を塞ぐように配置される。長辺ガラス保持部材４４は、外側において下部に形成される嵌合突起４４１と、外側において嵌合突起４４１の上部に形成される第１ジョイントゴム嵌合部４４２と、内側において下部に形成される係止片４４３と、を有する。
【００３９】
嵌合突起４４１は、長辺保持枠本体４３の上側嵌合部４３１ａに嵌合する。
第１ジョイントゴム嵌合部４４２には、第１ジョイントゴム５１の幅方向Ｘの端部に形成される嵌合突起部５１１が嵌合される。
係止片４４３は、ガラス４０の側端部の上面の上方側に配置される。係止片４４３とガラス４０の側端部の上面との間には、グレージングガスケット４２ｄが配置される。係止片４４３は、ガラス４０の側端部の屋外側の部分を押圧するグレージングガスケット４２ｄを係止する。
【００４０】
本実施形態においては、図３及び図５に示すように、ガラス４０は、２枚の板ガラス４０ａ，４０ｂを重ねた複層ガラスで構成される。２枚の板ガラス４０ａ，４０ｂは、下方側の下側板ガラス４０ａと、上側の上側板ガラス４０ｂと、からなる。ガラス４０は、矩形状（長方形状）に形成される。ガラス４０は、ガラスユニット４がスタジアムの屋根の天窓部分に配置された状態において、図１に示すように、幅方向Ｘが、屋根の周方向Ｃにおける接線方向に沿って配置され、長手方向Ｙが、径方向Ｒに沿って配置される。
【００４１】
ガラス４０の幅方向Ｘの側端部における保持構造について説明する。図３及び図５に示すように、ガラス４０における下側板ガラス４０ａは、下側板ガラス４０ａにおける幅方向Ｘの両端部の外側から、ガラス溝４２ａの内部に配置されるバックアップ材４２ｂに挟まれる。ガラス４０における上側板ガラス４０ｂは、下側板ガラス４０ａの上方に配置される。上側板ガラス４０ｂの幅方向Ｘの両端部の外側には、バックアップ材４２ｂの上方において、シール材４２ｃが塗工される。
【００４２】
ガラス４０の幅方向Ｘの側端部の上面と長辺ガラス保持部材４４の係止片４４３との間には、グレージングガスケット４２ｄが押圧された状態で配置される。
ガラス４０の幅方向Ｘの側端部の下面には、長辺保持枠本体４３の嵌合部４３２ｃに嵌合されたグレージングガスケット４２ｅが押圧される。
【００４３】
図１に示すように、天窓部分の周方向Ｃに隣接するガラスユニット４は、隣接するガラスユニット４の間の距離が、ガラスユニット４における天窓部分の内周側の一端から、ガラスユニット４における天窓部分の外周側の他端に向かうにしたがって大きくなるように配置される。
【００４４】
第１ジョイントゴム５１は、周方向Ｃに隣接するガラスユニット４の間の隙間に配置される。本実施形態のスタジアムの屋根は、平面視で楕円形の円環状に形成されるため、周方向Ｃに隣接するガラスユニット４の間の隙間は、略台形状に形成される。
【００４５】
第１ジョイントゴム５１は、目地材であって、乾式のシール材である。第１ジョイントゴム５１は、図１に示すように、長手方向Ｙに延びる。第１ジョイントゴム５１は、例えば山部及び谷部が幅方向Ｘに連続して形成される蛇腹状に形成され、周方向Ｃに隣接するガラスユニット４の間の隙間の幅方向Ｘに拡げることが可能（拡幅可能）である。第１ジョイントゴム５１は、ゴム材料により形成される。第１ジョイントゴム５１は、周方向Ｃに隣接するガラスユニット４に跨って、周方向Ｃに隣接するガラスユニット４が延びる長手方向Ｙに沿って配置されている。第１ジョイントゴム５１は、隣接するガラスユニット４が延びる長手方向Ｙ（径方向Ｒ）に沿って配置されることにより、周方向Ｃに隣接するガラスユニット４の間において、ガラスユニット４の長手方向Ｙに沿って水の浸入を止水する止水ラインを構成する。
【００４６】
第１ジョイントゴム５１の幅方向Ｘの両端部には、図３及び図５に示すように、一対の嵌合突起部５１１が形成される。嵌合突起部５１１は、長辺ガラス保持部材４４の第１ジョイントゴム嵌合部４４２に嵌合される。第１ジョイントゴム５１は、隣接するガラスユニット４の間の距離に合わせて伸縮された状態で配置される。第１ジョイントゴム５１は、図１に示すように、幅方向Ｘの長さが、ガラスユニット４における天窓部分の内周側の一端から、ガラスユニット４における天窓部分の外周側の他端に向かうにしたがって大きくなるように拡げられ、平面視で台形状になる。
【００４７】
第１ジョイントゴム５１を周方向Ｃに隣接するガラスユニット４の間に配置する場合には、一対の嵌合突起部５１１を長辺ガラス保持部材４４の第１ジョイントゴム嵌合部４４２に嵌合させるだけでよいため、第１ジョイントゴム５１を、簡単に、周方向Ｃに隣接するガラスユニット４の間に取り付けることができる。
【００４８】
受け部材６は、図１及び図５に示すように、ガラスユニット４における径方向Ｒの外周側において、第１ジョイントゴム５１の下方に配置される。受け部材６は、例えば、メンテナンス時に第１ジョイントゴム５１が人に踏み付けられた場合に、第１ジョイントゴム５１の下方への沈み込みを規制する受け部材である。受け部材６は、図５に示すように、取付部材６１を介して、長辺保持枠４２の下側係止片４３１ｄ及び係止片４３２ａに上から取り付けられる。本実施形態においては、受け部材６は、方形筒状に形成される。受け部材６は、幅方向Ｘに所定の長さを有して、径方向Ｒに延びる。
受け部材６は、ガラスユニット４間の間隔が広い場合に、第１ジョイントゴム５１の下方への沈み込みを規制する機能と、ガラスユニット４間の間隔が広い場合に、シール材を施工できないため、受け部材６と保持枠４１の長辺保持枠４２の延出支持片４３１ｂとの間にシール材を施工できるように、保持枠４１の長辺保持枠４２の延出支持片４３１ｂとの距離が一定距離以内とするように調整する機能と、を有する。
【００４９】
本実施形態においては、図１に示すように、受け部材６は、周方向Ｃに隣接するガラスユニット４の間の幅方向Ｘの距離が広い箇所において、第１ジョイントゴム５１の下方に配置される。ここで、周方向Ｃに隣接するガラスユニット４の間の幅方向Ｘの距離は、図１に示すように、径方向Ｒの外周側において広く、径方向Ｒの内周側において狭く形成され、外周側から内周側に向かうにしたがって徐々に狭くなる。そのため、受け部材６は、ガラスユニット４の径方向Ｒの外周側の端部から、周方向Ｃに隣接するガラスユニット４の間の幅方向Ｘの距離が第１ジョイントゴム５１の沈み込みを規制する必要がない短い距離となる位置まで、径方向Ｒの内周側に向けて延びるように形成される。本実施形態においては、受け部材６は、ガラスユニット４の径方向Ｒの外周側の端部から内周側に向けて所定長さ延びている。
【００５０】
受け部材６が配置される径方向Ｒの範囲においては、図５に示すように、第１ジョイントゴム５１の下方において、受け部材６の幅方向Ｘの両側の側面と長辺保持枠４２との間には、バックアップ材４２ｆ及びシール材４２ｇが配置される。バックアップ材４２ｆは、受け部材６の幅方向Ｘの両側において、延出支持片４３１ｂの下端部の突出片４３１ｃに係止される。受け部材６の幅方向Ｘの両側において、バックアップ材４２ｆの上部には、シール材４２ｇが塗工される。
【００５１】
部材６が配置されない径方向Ｒの範囲においては、図３に示すように、第１ジョイントゴム５１の下方において、受け部材６は配置されておらず、バックアップ材４２ｆは、隣接する保持枠４１における延出支持片４３１ｂの下端部の突出片４３１ｃに跨って係止され、バックアップ材４２ｆの上部には、シール材４２ｇが塗工される。
【００５２】
短辺保持枠４５は、図１に示すように、幅方向Ｘに延びる長尺状に形成される。短辺保持枠４５は、図６及び図７に示すように、短辺保持枠本体４６と、短辺ガラス保持部材４７と、第２ジョイントゴム嵌合部材４８と、を有する。短辺保持枠本体４６は、短辺保持枠４５が延びる方向に直交する断面において、複数の空気室を有する格子状に形成される。短辺保持枠４５には、図７に示すように、短辺保持枠本体４６、短辺ガラス保持部材４７及び第２ジョイントゴム嵌合部材４８が組み合わされた状態において、側方に開口するガラス溝４５ａが形成される。ガラス溝４５ａには、ガラス４０の長手方向Ｙの側端部が配置される。
【００５３】
短辺保持枠本体４６は、図７に示すように、屋根の屋外側（上方側）に配置される上側保持体４６１と、屋根の屋内側（下方側）に配置される下側保持体４６２と、を有する。
【００５４】
上側保持体４６１及び下側保持体４６２は、中空部を備えるホロー構造を構成する。下側保持体４６２は、上側保持体４６１の下方に接続される。下側保持体４６２は、上側保持体４６１よりもガラスユニット４の長手方向Ｙの内側に延びる。
【００５５】
短辺保持枠本体４６は、上側保持体４６１の内側の側部及び下側保持体４６２の上部により、上方側及び内側の側方側が開放する形状を有する。短辺保持枠本体４６の上方側の開放する部分には、短辺ガラス保持部材４７が配置される。短辺保持枠本体４６の内側の側方側の開放する部分には、ガラス４０の長手方向Ｙの側端部が配置される。
【００５６】
上側保持体４６１は、上方側の外側に形成される上側第１係合部４６１ａと、外側の側部から水平方向に延出する外側突出片４６１ｂと、内側の上方側に形成される上側嵌合部４６１ｃと、内側の側部から水平方向に延出する内側突出片４６１ｄと、上側第１係合部４６１ａと上側嵌合部４６１ｃとの間において上方側に形成される上側第２係合部４６１ｅと、を備える。
【００５７】
上側第１係合部４６１ａ及び上側第２係合部４６１ｅは、第２ジョイントゴム嵌合部材４８に係合する。
外側突出片４６１ｂは、ガラスユニット４の長手方向Ｙの外側の側面から外方に向けて水平方向に突出する。長手方向Ｙに隣接するガラスユニット４の外側突出片４６１ｂには、隣接するガラスユニット４の外側突出片４６１ｂに跨って、バックアップ材４５ｆが配置される。バックアップ材４５ｆの上部には、シール材４５ｇが塗工される。なお、シール材４２ｃ（４５ｃ）、４２ｇ（４５ｇ）は状況に応じて高い水密性が要求される場合に施工されるものであり、省略しても構わない。
上側嵌合部４６１ｃは、短辺ガラス保持部材４７の嵌合突起４７１に嵌合する。
内側突出片４６１ｄは、ガラスユニット４の長手方向Ｙの内側の側面から内側に向けて水平方向に突出する。内側突出片４６１ｄには、バックアップ材４５ｂが係止される。
【００５８】
下側保持体４６２は、上側保持体４６１の下部に接続される。下側保持体４６２は、外側の側部から外側に延出する外側延出部４６２ａと、内側の上部から上方に延出する嵌合部４６２ｂと、を備える。
外側延出部４６２ａは、径方向Ｒに隣接するガラスユニット４において、隣接するガラスユニット４の外側延出部４６２ａ同士が、ウインドバリア４５ｈを介して接続されている。
嵌合部４６２ｂには、ガラス４０の側端部の屋内側の部分を押圧する気密部材４５ｅが嵌合される。
【００５９】
短辺ガラス保持部材４７は、図７に示すように、短辺保持枠本体４６の上部においてガラスユニット４の内側に取り付けられる。短辺ガラス保持部材４７は、外側において下部に形成される嵌合突起４７１と、内側において下部に形成される係止片４７２と、を有する。
【００６０】
嵌合突起４７１は、短辺保持枠本体４６の上側嵌合部４６１ｃに嵌合する。
係止片４７２は、ガラス４０の側端部の上面の上方側に配置される。係止片４７２とガラス４０の側端部の上面との間には、気密部材４５ｄが配置される。係止片４７２は、ガラス４０の側端部の屋外側の部分を押圧する気密部材４５ｄを係止する。
【００６１】
第２ジョイントゴム嵌合部材４８は、短辺保持枠本体４６の上部の上側第１係合部４６１ａ及び上側第２係合部４６１ｅにおいて、ガラスユニット４の上部側の外側に取り付けられる。
第２ジョイントゴム嵌合部材４８は、外側において上部に形成される第２ジョイントゴム嵌合部４８１を有する。第２ジョイントゴム嵌合部４８１には、第２ジョイントゴム５２の長手方向Ｙの端部に形成される嵌合突起部５２１が嵌合される。
【００６２】
ガラス４０の長手方向Ｙの側端部における保持構造について説明する。図７に示すように、ガラス４０における下側板ガラス４０ａは、下側板ガラス４０ａにおける長手方向Ｙの両端部の外側から、ガラス溝４５ａの内部に配置されるバックアップ材４５ｂに挟まれる。ガラス４０における上側板ガラス４０ｂは、下側板ガラス４０ａの上方に配置される。上側板ガラス４０ｂの長手方向Ｙの両端部の外側には、バックアップ材４５ｂの上方において、シール材４５ｃが塗工される。
【００６３】
ガラス４０の長手方向Ｙの側端部の上面と短辺ガラス保持部材４７の係止片４７２との間には、気密部材４５ｄが押圧された状態で配置される。
ガラス４０の長手方向Ｙの側端部の下面には、短辺保持枠本体４６の嵌合部４６２ｂに嵌合された気密部材４５ｅが配置される。
【００６４】
図１に示すように、天窓部分の径方向Ｒに隣接するガラスユニット４は、径方向Ｒに隣接するガラスユニット４の間の距離が、幅方向Ｘの全域において同じになるように配置される。
【００６５】
径方向Ｒに隣接するガラスユニット４の間の隙間には、ガラスユニット４の幅方向Ｘに沿って、第２ジョイントゴム５２及び第３ジョイントゴム５３が交互に並んで配置される。第２ジョイントゴム５２は、ガラスユニット４の幅方向Ｘの端部を除く部分に配置される。第３ジョイントゴム５３は、周方向Ｃに隣接するガラスユニット４の幅方向Ｘの端部に跨って延びて配置される。
【００６６】
第２ジョイントゴム５２は、目地材であって、乾式のシール材である。第２ジョイントゴム５２は、図１に示すように、ガラスユニット４の幅方向Ｘの端部を除く部分において、幅方向Ｘに延びる。本実施形態においては、第２ジョイントゴム５２は、図７に示すように、１つの山部が形成されるゴム材料の部材により構成される。
【００６７】
第２ジョイントゴム５２は、図１に示すように、ガラスユニット４の幅方向Ｘの端部を除く部分において、径方向Ｒに隣接するガラスユニット４の間の隙間において、ガラスユニット４の幅方向Ｘに沿って配置されている。第２ジョイントゴム５２は、径方向Ｒに隣接するガラスユニット４の間におけるガラスユニット４の幅方向Ｘの端部を除く部分において、ガラスユニット４の幅方向Ｘに沿って止水する止水ラインを構成する。
【００６８】
第２ジョイントゴム５２の長手方向Ｙの両端部には、図７に示すように、一対の嵌合突起部５２１が形成される。嵌合突起部５２１は、第２ジョイントゴム嵌合部材４８の第２ジョイントゴム嵌合部４８１に嵌合される。第２ジョイントゴム５２は、１つの山部が径方向Ｒに拡げることが可能に構成される。第２ジョイントゴム５２は、隣接するガラスユニット４の間の距離に合わせて拡げた状態で配置される。
【００６９】
第２ジョイントゴム５２を径方向Ｒに隣接するガラスユニット４の間に配置する場合には、一対の嵌合突起部５２１を第２ジョイントゴム嵌合部材４８の第２ジョイントゴム嵌合部４８１に嵌合させるだけでよいため、第２ジョイントゴム５２を、簡単に、径方向Ｒに隣接するガラスユニット４の間に取り付けることができる。
【００７０】
第３ジョイントゴム５３は、目地材であって、乾式のシール材である。第３ジョイントゴム５３は、図１に示すように、径方向Ｒに隣接する第２ジョイントゴム５２を繋ぐように、ガラスユニット４の幅方向Ｘに沿って配置されている。第３ジョイントゴム５３は、周方向Ｃに隣接するガラスユニット４の幅方向Ｘの端部に跨って配置されている。第３ジョイントゴム５３は、径方向Ｒに隣接するガラスユニット４の間における周方向Ｃに隣接するガラスユニット４の幅方向Ｘの端部に跨った部分において、ガラスユニット４の幅方向Ｘに沿って止水する止水ラインを構成する。
【００７１】
ここで、複数のガラスユニット４の接続部分における止水構造について更に説明する。図８は、本実施形態に係る天窓構造３におけるガラスユニット４の接続部分の止水構造を説明するための平面図である。なお、図８におけるガラスユニット４及びその他の構成の説明について、天窓構造３が径方向Ｒの内周側から外周側に向かうにしたがって僅かに下るように傾斜する構成であるため、主に、水の流れについて、上流側（内周側）及び下流側（外周側）という観点で説明することがある。
【００７２】
複数のガラスユニット４の接続部分において、図８に示すように、天窓構造３は、前述のガラスユニット４、第１ジョイントゴム５１、第２ジョイントゴム５２及び第３ジョイントゴム５３に加えて、上流側ジョイントゴム５４及び下流側ジョイントゴム５５を有する。
【００７３】
第２ジョイントゴム５２及び第３ジョイントゴム５３は、前述の通り、径方向Ｒに隣接するガラスユニット４の間の隙間に、ガラスユニット４の幅方向Ｘに沿って配置されている。そのため、第２ジョイントゴム５２及び第３ジョイントゴム５３は、径方向Ｒに隣接するガラスユニット４の間において、ガラスユニット４の幅方向Ｘに沿って水を流通させる幅方向流路を構成する。
【００７４】
第３ジョイントゴム５３は、平板状のゴム材料により形成され、十字形状に形成される。第３ジョイントゴム５３は、延在ゴム５３１と、内周側延出部５３２と、外周側延出部５３３と、を有する。
【００７５】
延在ゴム５３１は、径方向Ｒに隣接するガラスユニット４の間において、周方向Ｃに隣接するガラスユニット４の幅方向Ｘの端部に跨ってガラスユニット４の幅方向Ｘに延びる。延在ゴム５３１の幅方向Ｘの両端部は、第２ジョイントゴム５２の端部の下方に重なった状態で配置される。
内周側延出部５３２は、延在ゴム５３１の幅方向Ｘの中央において径方向Ｒの内周側に延出する。内周側延出部５３２は、上流側の第１ジョイントゴム５１の下流側の端部において、第１ジョイントゴム５１の下方に重なった状態で配置される。
外周側延出部５３３は、延在ゴム５３１の幅方向Ｘの中央において径方向Ｒの外周側に延出する。外周側延出部５３３は、下流側の第１ジョイントゴム５１の上流側の端部において、第１ジョイントゴム５１の下方に重なった状態で配置される。
【００７６】
以上のように構成される第３ジョイントゴム５３の表面の高さは、保持枠４１（長辺保持枠４２、短辺保持枠４５）の高さよりも低く、第１ジョイントゴム５１及び第２ジョイントゴム５２の表面の高さと略同じである。第３ジョイントゴム５３は、表面の高さが保持枠４１（長辺保持枠４２、短辺保持枠４５）の高さよりも低いため、水が流れる流路となる。なお、第３ジョイントゴム５３の表面の高さは、第１ジョイントゴム５１及び第２ジョイントゴム５２の下方に重なった状態で配置されるため、第１ジョイントゴム５１及び第２ジョイントゴム５２の表面の高さよりも僅かに低い。つまり、第３ジョイントゴム５３は、第１ジョイントゴム５１及び第２ジョイントゴム５２より下方に配置される。
【００７７】
上流側ジョイントゴム５４は、上流側に配置されるガラスユニット４の下流側の隅部に配置される。上流側ジョイントゴム５４は、上流側のガラスユニット４と径方向Ｒに隣接するガラスユニット４の間の隙間との間をつないで水を流通させる上流側ガラスユニット流路を構成する。
【００７８】
上流側ジョイントゴム５４は、平板状のゴム材料により形成される。上流側ジョイントゴム５４は、第３ジョイントゴム５３の延在ゴム５３１よりも上流側に配置される。上流側ジョイントゴム５４は、上流側の第１ジョイントゴム５１の下流側の端部において、上流側の第１ジョイントゴム５１を幅方向Ｘに挟んで、上流側の第１ジョイントゴム５１の幅方向Ｘの一方側及び他方側に配置される。上流側ジョイントゴム５４は、上流側のガラスユニット４のガラス４０から、第３ジョイントゴム５３の延在ゴム５３１まで長手方向Ｙに延びて形成される。上流側ジョイントゴム５４の表面の高さは、ガラス４０の表面の高さと同一であり、かつ、第３ジョイントゴム５３の表面の高さと同一であり、保持枠４１（長辺保持枠４２、短辺保持枠４５）の高さよりも低い。上流側ジョイントゴム５４は、表面の高さが保持枠４１（長辺保持枠４２、短辺保持枠４５）の高さよりも低いため、水が流れる流路となる。
【００７９】
下流側ジョイントゴム５５は、下流側に配置されるガラスユニット４の上流側の隅部に配置される。下流側ジョイントゴム５５は、径方向Ｒに隣接するガラスユニット４の間の隙間と下流側のガラスユニット４との間をつないで水を流通させる下流側ガラスユニット流路を構成する。
【００８０】
下流側ジョイントゴム５５は、平板状のゴム材料により形成される。下流側ジョイントゴム５５は、第３ジョイントゴム５３の延在ゴム５３１よりも下流側に配置される。下流側ジョイントゴム５５は、下流側の第１ジョイントゴム５１の上流側の端部において、下流側の第１ジョイントゴム５１を幅方向Ｘに挟んで、下流側の第１ジョイントゴム５１の幅方向Ｘの一方側及び他方側に配置される。下流側ジョイントゴム５５は、第３ジョイントゴム５３の延在ゴム５３１から、下流側のガラスユニット４のガラス４０まで長手方向Ｙに延びて形成される。下流側ジョイントゴム５５の表面の高さは、ガラス４０の表面の高さと同一であり、かつ、第３ジョイントゴム５３の表面の高さと同一であり、保持枠４１（長辺保持枠４２、短辺保持枠４５）の高さよりも低い。下流側ジョイントゴム５５は、表面の高さが保持枠４１（長辺保持枠４２、短辺保持枠４５）の高さよりも低いため、水が流れる流路となる。
【００８１】
上流側ジョイントゴム５４により構成される上流側ガラスユニット流路と、下流側ジョイントゴム５５により構成される下流側ガラスユニット流路とは、径方向Ｒに隣接するガラスユニット４の間の隙間に配置される第３ジョイントゴム５３（幅方向流路）において接続される。これにより、上流側のガラスユニット４のガラス４０と下流側のガラスユニット４のガラス４０との間には、上流側ガラスユニット流路、幅方向流路及び下流側ガラスユニット流路を備えて構成される水の流路が形成される。
【００８２】
以上のように構成される止水構造において、上流側の第１ジョイントゴム５１を流れる水は、上流側の第１ジョイントゴム５１において上流側から下流側に向かうにしたがって幅方向Ｘに徐々に広がる流路に沿って、上流側の第１ジョイントゴム５１の長手方向Ｙに沿って流れ、第３ジョイントゴム５３の延在ゴム５３１に到達する。第３ジョイントゴム５３の延在ゴム５３１に到達した水は、下流側の第１ジョイントゴム５１に直進して流れると共に、第３ジョイントゴム５３の延在ゴム５３１に沿うように幅方向Ｘに流れを変えて分流する。下流側の第１ジョイントゴム５１に流れた水は、第１ジョイントゴム５１に沿って長手方向Ｙの下流側に流れる。第３ジョイントゴム５３の延在ゴム５３１に分流した水は、下流側ジョイントゴム５５に流れ込んで、下流側のガラスユニット４のガラス４０に流れる。
【００８３】
また、上流側のガラスユニット４のガラス４０を流れる水は、上流側のガラスユニット４のガラス４０から、上流側ジョイントゴム５４により構成される上流側ガラスユニット流路に流れ込んで、第３ジョイントゴム５３の延在ゴム５３１に到達する。第３ジョイントゴム５３の延在ゴム５３１に到達した水は、幅方向Ｘに沿って形成される第３ジョイントゴム５３（幅方向流路）を介して、下流側ジョイントゴム５５により構成される下流側ガラスユニット流路に流れ込んで、下流側のガラスユニット４のガラス４０に流れる。
【００８４】
以上の説明のように、複数のガラスユニット４の接続部分においての止水構造においては、第１ジョイントゴム５１、第２ジョイントゴム５２、第３ジョイントゴム５３、上流側ジョイントゴム５４及び下流側ジョイントゴム５５により止水ラインが構成される。これにより、複数のガラスユニット４の角部の接続部分において、止水ラインを介して雨水などの水を流すことができるため、複数のガラスユニット４の下方側への雨水などの水の浸入を阻止することができる。
【００８５】
複数のメンテナンス用フィン８は、ガラス４０の清掃や修理などのメンテナンス時において、メンテナンスを行う作業者が天窓部分の上部を歩くときに、メンテナンスを行う作業者が足を掛けて使用する。複数のメンテナンス用フィン８は、図１、図２及び図７に示すように、フィン支持部８１を介して、ガラスユニット４の保持枠４１の上面に取り付けられる。メンテナンス用フィン８は、ガラスユニット４の幅方向Ｘから視た場合に、図７に示すように、例えば略三角形の枠状に形成され、図２に示すように、ガラスユニット４の幅方向Ｘに延びる。
【００８６】
メンテナンス用フィン８は、図１及び図２に示すように、ガラスユニット４の幅方向Ｘの長さの範囲内でガラスユニット４の幅方向Ｘに延びて形成されており、周方向Ｃに隣接するガラスユニット４の間の第１ジョイントゴム５１が配置される部分には配置されていない。複数のメンテナンス用フィン８は、ガラスユニット４の径方向Ｒ（長手方向Ｙ）の内周側の端部において、１つのガラスユニット４に対応して、１つのメンテナンス用フィン８が設けられている。メンテナンス用フィン８は、複数のガラスユニット４に対応して、複数配置されている。
【００８７】
従来、天窓部分において、ガラス４０の清掃や修理などのメンテナンスのために、はしご状レール部材を設置していた。はしご状レール部材を設置する場合には、はしご状レール部材を支持する支持部材等が必要となる。そのため、はしご状レール部材を支持する支持部材等を、隣接するガラスユニットの間に上下方向に貫通させて配置していた。そのため、本発明の第１ジョイントゴム５１を配置する場合には、第１ジョイントゴム５１に支持部材等を貫通させた状態で、支持部材等を配置する必要がある。
【００８８】
これに対して、本実施形態においては、メンテナンス用フィン８を保持枠４１の上面に取り付けた。そのため、隣接するガラスユニット４の間には、上下方向に貫通する支持部材等を配置しなくてよい。これにより、支持部材等を第１ジョイントゴム５１に貫通させて配置しなくてよいため、第１ジョイントゴム５１における止水性能を確保することができる。また、同時に、メンテナンス用フィン８を保持枠４１の上面に取り付けることができるため、第１ジョイントゴム５１に貫通して配置する部材を設けなくてもよく、第１ジョイントゴム５１を加工しなくてよいため、メンテナンス用フィン８の施工性を向上できる。
【００８９】
なお、本実施形態のメンテナンス用フィン８に代えて、保持枠４１の上面に、安全帯や安全ロープなどを引っ掛けるためのメンテナンス用フックを設けてもよい。メンテナンス用フックを設ける場合においても、メンテナンス用フックを保持枠４１の上面に取り付けるため、本実施形態のメンテナンス用フィン８を保持枠４１の上面に取り付ける場合と同様に、支持部材等を第１ジョイントゴム５１に貫通させて配置しなくてよいため、第１ジョイントゴム５１における止水性能を確保することができる。また、同時に、メンテナンス用フックを保持枠４１の上面に取り付けることができるため、第１ジョイントゴム５１に貫通して配置する部材を設けなくてもよく、第１ジョイントゴム５１を加工しなくてよいため、メンテナンス用フックの施工性を向上できる。さらに、メンテナンス用フックを設けた場合、施工時のユニット吊り治具としても利用できる。
【００９０】
本実施形態によれば、以下の効果が奏される。
本実施形態の天窓構造３においては、フィールドと、フィールドの周囲に配置される観客席と、フィールドの上方を開放するように観客席の上方を覆う屋根と、を備えた天窓構造３であって、屋根の少なくとも一部は、ガラス４０及びガラス４０を保持する保持枠４１を有するガラスユニット４と、隣接するガラスユニット４の間に配置され、拡幅可能な第１ジョイントゴム５１と、を備える。
【００９１】
そのため、ガラスユニット４を予め工場などで組み立てた後に、現場でガラスユニット４を取り付けるため、ノックダウン方式（ガラスや保持枠体を現場で組立てて完成品とする生産方式）で施工するよりも、施工に要する時間を短くでき、施工性を向上できる。また、ガラスユニット４をユニット化して現場で施工するため、ノックダウン方式で施工するよりも、部品の落下などが低減され、安全性を向上できる。
【００９２】
また、第１ジョイントゴム５１は乾式のシール材であるため、湿式のシール材を用いる場合と比べて、現場において施工に要する時間を短くすることができる。また、第１ジョイントゴム５１は乾式のシール材であるため、天候に左右されずに施工できる。また、第１ジョイントゴム５１は乾式のシール材であるため、湿式のシール材と比べて、劣化が遅く、施工後のメンテナンスを低減できる。
【００９３】
また、本実施形態においては、ガラスユニット４は矩形状である。そのため、例えばガラスユニットを台形形状などに形成するよりも、ガラスユニット４を工場などで組み立てる際の生産スピードを向上させることができる。また、ガラスユニットを台形形状で形成するよりも、ガラスを加工して捨てる部分を少なくでき、ガラスを加工して製造する際のコストを低減できる。
【００９４】
また、本実施形態においては、第１ジョイントゴム５１は、隣接するガラスユニット４が延びる径方向Ｒ（長手方向Ｙ）に沿って配置されることにより、隣接するガラスユニット４の間において水の浸入を止水する止水ラインを構成する。これにより、第１ジョイントゴム５１を介して雨水などの水を流すことができるため、ガラスユニット４の下方側への雨水などの水の浸入を阻止することができる。
【００９５】
また、本実施形態においては、第１ジョイントゴム５１は、ガラスユニット４の保持枠４１に嵌合され、第１ジョイントゴム５１の下方には、樋構成体７が配置される。そのため、第１ジョイントゴム５１を、ガラスユニット４の保持枠４１に容易に取り付けることができる。また、樋構成体７は、第１ジョイントゴム５１において止水できなかった水を止水する止水ラインを構成する。これにより、天窓構造３における止水構造を一層向上できる。
【００９６】
また、本実施形態においては、第１ジョイントゴム５１の少なくとも一部の下方に配置される受け部材６を更に備える。これにより、第１ジョイントゴム５１を、第１ジョイントゴム５１の少なくとも一部を下方において補強することができる。よって、メンテナンスなどを行う作業者が第１ジョイントゴム５１を踏み付けても、第１ジョイントゴム５１が下方に沈み込むことを低減でき、安定した作業を行うことができる。
【００９７】
また、本実施形態の屋根の施工方法においては、ガラス４０とガラス４０を囲う保持枠４１とを備えたガラスユニット４を鉄骨部材１０に設置する工程と、隣接するガラスユニット４間の隙間を覆うように第１ジョイントゴム５１を取り付ける工程と、を含む。そのため、ユニット化したガラスユニット４を鉄骨部材１０に容易に設置できる。また、容易に設置したガラスユニット４の隙間を第１ジョイントゴム５１で容易に覆うことができる。よって、屋根を容易に施工することができる。
【００９８】
なお、本発明は上記実施形態に限定されるものではなく、本発明の目的を達成できる範囲での変形、改良等は本発明に含まれる。
【００９９】
上記実施形態では、ガラスユニット４をガラス４０及び保持枠４１によりユニット化して構成したが、これに限定されない。ガラスユニット４としては、少なくとも、ガラス４０及び保持枠４１を備えていればよく、例えば、ガラス４０及び保持枠４１に加えて、受け部材６や樋構成体７をガラスユニットとして構成して、工場などでガラスユニット４として組み立てた後に、ガラスユニット４を屋根において施工してもよい。樋構成体７をガラスユニットの一部として構成した場合には、屋根の施工方法として、ガラスユニット４に樋構成体７を取り付ける工程を含む。
【０１００】
上記実施形態では、パネルをガラス４０により構成して、ガラス４０を備える天窓構造を構成したが、これに限定されない。パネルには、例えば、ガラス、太陽光発電パネルなどが含まれる。パネルがガラスの場合には、ガラスは、透明又は不透明のいずれでもよい。また、パネルが太陽光発電パネルの場合には、太陽光発電パネルを備える屋根構造を構成する。太陽光発電パネルは、透光又は不透光のいずれでもよい。
【０１０１】
上記実施形態では、屋根における径方向Ｒの外周側寄りの天窓構造３について説明したが、これに限定されない。天窓構造３は、径方向Ｒの内周側から外周側までの間のいずれの場所においても同様の構造を採用することができる。
【０１０２】
上記実施形態では、ガラス４０を二層ガラスで構成したが、これに限定されない。例えば、ガラスを単板ガラスで構成してもよい。
【０１０３】
上記実施形態では、ガラスユニット４として、１枚のガラス４０を保持枠４１に保持させてユニット化したが、これに限定されない。例えば、ガラスユニット４として、複数のガラス４０を保持枠４１に保持させてユニット化してもよい。
【０１０４】
上記実施形態では、ガラスユニット４やガラス４０を矩形状に形成し、長方形状に形成される例について説明したが、これに限定されず、台形などでもよい。つまり、同一形状のユニットを円形、楕円形など、内周側と外周側で徐々に形状が変わっていく場合などに適用する場合を含む。例えば、ガラスユニット４やガラス４０を台形状とした場合であっても、その台形状が屋根の楕円に沿って内周側と外周側で徐々に形状を変えておらず、一定形状の台形ユニットを並べて屋根として構成するものを含んでいる。なお、本実施形態においては、矩形状には、正方形状も含まれる。
【０１０５】
上記実施形態では、屋根を天窓で構成したが、これに限定されず、本発明の屋根には、庇が含まれる。
【符号の説明】
【０１０６】
３…天窓構造（屋根構造）
４…ガラスユニット（パネルユニット）
６…受け部材
７…樋構成体（樋部材）
１０…鉄骨部材（鉄骨）
４０…ガラス（パネル）
４１…保持枠
５１…第１ジョイントゴム（第一ジョイント部材）
５３…第３ジョイントゴム（第二ジョイント部材）
Ｃ…周方向
Ｒ…径方向
Ｘ…幅方向
【図１】
2019007158.tif 000003
【図２】
2019007158.tif 000004
【図３】
2019007158.tif 000005
【図４】
2019007158.tif 000006
【図５】
2019007158.tif 000007
【図６】
2019007158.tif 000008
【図７】
2019007158.tif 000009
【図８】
2019007158.tif 000010